(57)【要約】【課題】  形状記憶合金からなる電線巻付けバインドにて電線を碍子に保持するとともに、電線と電線巻付けバインドの端部との間で生じるトラッキング現象により電線巻付けバインドの温度が所定の値以上になると電線巻付けバインドが記憶している形状に変形し、この変形を地上からの目視点検にて検知することにより電線の損傷箇所を容易に検出する方法を提供する。【解決手段】  電線巻付けバインド１の端部１３に漏れ電流が集中して流れ、ジュール熱が生じる。このジュール熱により電線１１の被覆の絶縁体の一部が分解され、数千度程度の局部放電を生じるトラッキング現象が発生すると電線巻付けバインドの端部１３の温度が上昇し、温度が所定の値以上になると電線巻付けバインド１の端部１３が、電線１１から離れる方向に変形するために、地上からの目視点検にてこの変形を検知でき、電線１１の損傷箇所を容易に検出することが可能となる。【選択図】      図２
2006278110.tif 000002
【特許請求の範囲】
【請求項１】
電線を碍子に保持すべく前記電線及び前記碍子に跨って取り付けられる螺旋状の電線巻付けバインドであって、
少なくとも一端部を、所定の温度以上になると前記電線から離間した形状となる形状記憶合金で構成したことを特徴とする電線巻付けバインド。
【請求項２】
前記電線巻付けバインドの端部を、他部位とは異なる色に着色したことを特徴とする請求項１に記載の電線巻付けバインド。
【請求項３】
電線が電線巻付けバインドによって碍子に保持される部分における前記電線の絶縁被覆の損傷箇所を検出する方法において、
前記電線巻付けバインドの少なくとも一端部を、所定の温度以上になると前記電線から離間した形状となる形状記憶合金で構成し、
前記絶縁被覆に損傷が生じた場合に前記電線から前記電線巻付けバインドに流れる電流によって前記電線巻付けバインドの温度を上昇させ、
この温度上昇により前記電線巻付けバインドが前記所定の温度以上になって、前記少なくとも一端部が変形したことを検知することを特徴とする電線の絶縁被覆の損傷箇所検出方法。
【発明の詳細な説明】
【技術分野】
【０００１】
本発明は、電線を碍子に保持する電線巻付けバインド及びこの電線巻付けバインドを用いた電線の損傷箇所を検出する方法に関するものである。
【背景技術】
【０００２】
従来の電線巻付けバインドは、例えば、特許文献１に示すように、弾性及び高張力を有する金属線が絶縁被覆されており、長手方向の中央部が碍子の首部に巻回するように半円弧状に屈曲形成され、その両側部は電線に巻付くように螺旋状に屈曲形成されている。そして、碍子の首部に電線を配設し、電線巻付けバインドの半円弧状の中央部を碍子の首部に掛け、螺旋状の両端部を電線に巻付けることにより、電線が碍子に保持される。金属線の弾性力により、電線巻付けバインドの螺旋状の両側部にて電線が把持されている。
【特許文献１】特開２００３−２８１９５４号公報
【発明の開示】
【発明が解決しようとする課題】
【０００３】
しかし、従来より使用されている電線巻付けバインドでは、電線及び電線巻付けバインドが風等により振動を繰り返し受けるために、電線を把持するように巻付けられている巻付けバインドの端部が次第に電線に食い込んで、巻付けバインド端部の被覆と電線の被覆とが互いに損傷して互いの金属部分が露出するおそれがある。電線の金属部分が露出すると地絡等の発生のおそれがあるが、被覆の損傷は損傷範囲が狭いために、通常の巡視による地上からの目視点検では発見が困難であるという問題点があった。
【０００４】
そこで、本発明は、上記の問題点を鑑みてなされたものであり、その目的は、形状記憶合金からなる電線巻付けバインドにて電線を碍子に保持するとともに、電線と電線巻付けバインドの端部との間で生じるトラッキング現象により電線巻付けバインドの温度が所定の値以上になると電線巻付けバインドが記憶している形状に変形し、この変形を地上からの目視点検にて検知することにより電線の損傷箇所を容易に検出する方法を提供するものである。
【課題を解決するための手段】
【０００５】
上記問題を解決する本発明の電線巻付けバインドは、電線を碍子に保持すべく前記電線及び前記碍子に跨って取り付けられる螺旋状の電線巻付けバインドであって、少なくとも一端部を、所定の温度以上になると前記電線から離間した形状となる形状記憶合金で構成したことを特徴とする（第１の発明）。
【０００６】
第２の発明は、第１の発明において、前記電線巻付けバインドの端部を、他部位とは異なる色に着色したことを特徴とする。
【０００７】
第３の発明の電線の絶縁被覆の損傷箇所検出方法は、電線が電線巻付けバインドによって碍子に保持される部分における前記電線の絶縁被覆の損傷箇所を検出する方法において、前記電線巻付けバインドの少なくとも一端部を、所定の温度以上になると前記電線から離間した形状となる形状記憶合金で構成し、前記絶縁被覆に損傷が生じた場合に前記電線から前記電線巻付けバインドに流れる電流によって前記電線巻付けバインドの温度を上昇させ、この温度上昇により前記電線巻付けバインドが前記所定の温度以上になって、前記少なくとも一端部が変形したことを検知することを特徴とする。
【発明の効果】
【０００８】
本発明による電線巻付けバインドによれば、電線と電線巻付けバインドの端部との間で生じるトラッキング現象により電線巻付けバインドの温度が上昇し、所定の温度以上になると電線巻付けバインドの少なくともいずれかの端部が電線から離れる方向に変形するために、地上からの目視点検にてこの変形を検知でき、電線の損傷箇所を容易に検出することが可能となる。また、電線巻付けバインドの変形する部分に、他部位とは異なる色を着色することにより、容易に巻付けバインドの変形を検知することが可能となる。
【発明を実施するための最良の形態】
【０００９】
以下、本発明に係る好ましい実施形態について図面を用いて詳細に説明する。
【００１０】
図１は、本発明の実施形態に係る電線巻付けバインドを用いて電線を碍子に保持した状態を示す図である。電線巻付けバインド１は、ニッケル−チタン合金からなる棒状の形状記憶合金と、絶縁体で、この形状記憶合金をコーティングするナイロン樹脂被覆とからなり、弾性及び高張力を有する。また、電線巻付けバインド１の形状は、長手方向の中央部３が碍子５の首部７に巻回するように半円弧状に屈曲形成され、この両側部９は電線１１に巻付くように螺旋状に屈曲形成され、所定の温度以上になると両端部１３が電線１１から離れるように形成されている。なお、電線巻付けバインド１を構成する形状記憶合金として、所定の温度以上になると記憶された形状に変形し、変形後に温度が低下しても、その形状を維持する性質を有する形状記憶合金を用いるものとする。
【００１１】
そして、図１に示すように、碍子５の首部７に電線１１を配設し、電線巻付けバインド１の半円弧状の中央部３を碍子５の首部７に掛け、螺旋状の両側部９を電線１１に巻付け、そして、電線１１から離れる向きの両端部１３をペンチ等の工具にて螺旋状に変形して電線１１の被覆表面に食い込むように巻付けることにより、電線１１が碍子５に保持される。形状記憶合金の弾性力により、電線巻付けバインド１の螺旋状の両側部９及び両端部１３にて電線１１が把持されている。
【００１２】
なお、本実施形態においては、形状記憶合金の材質は、ニッケル−チタン合金を用いたが、これに限定されるものではなく、銅−亜鉛−アルミニウム合金等の他の合金でもよい。
【００１３】
図２は、本発明の実施形態に係る電線巻付けバインドが変形した状態を示す模式図である。塵埃等が電線１１の被覆表面に付着し、大気中の水分を吸収すると電線１１の被覆表面が湿潤状態となり、絶縁抵抗低下による漏れ電流が増加する。ここで、電線１１を把持するように螺旋状に巻付けられている巻付けバインド１の端部１３は電線１１に食い込むように巻き付けられているために、電線巻付けバインド１の端部１３に漏れ電流が集中して流れ、ジュール熱が生じる。このジュール熱により電線１１の被覆の絶縁体の一部が分解され、電線１１と電線巻付けバインド１の端部１３との間で数千度程度の局部放電を生じるトラッキング現象が発生すると電線巻付けバインドの端部１３の温度が上昇し、温度が所定の値以上になると電線巻付けバインド１の端部１３が、電線１１から離れる方向、つまり記憶している形状に変形する。電線巻付けバインド１が変形する所定の温度は本実施形態においては、例えば、ナイロン樹脂被覆の融点温度である２１５〜２６５℃程度とする。なお、電線巻付けバインド１が変形する温度は電線１１の電圧、周囲の環境温度等により適宜変更することが可能である。
【００１４】
上記のように、電線１１から離れる方向に変形した電線巻付けバインド１の端部１３は、所定の温度以下になっても電線１１に巻付いた状態の形状に戻ることは無い。したがって、この変形を通常の点検である巡視による地上から目視によって電線１１の損傷箇所を検出することができる。また、変形する部分を他部位とは異なる赤、黄色等の目立つ色に着色することにより、目視にて容易に変形を検出することが可能となる。
【００１５】
以上のように、電線と電線巻付けバインドの端部との間で生じるトラッキング現象により電線巻付けバインドの温度が上昇し、所定の温度以上になると電線巻付けバインド１の少なくともいずれかの端部１３が電線１１から離れる方向に変形するために、地上からの目視点検にてこの変形を検知でき、電線１１の損傷箇所を容易に検出することが可能となる。
【００１６】
なお、本実施形態においては、電線巻付けバインド１内をすべて形状記憶合金としたが、これに限定されるものではなく、電線巻付けバインド１の両端部１３若しくは一端部のみを形状記憶合金とし、中央部３及び両側部９は一般的に使用される金属線を用いてもよい。
【図面の簡単な説明】
【００１７】
【図１】本発明の実施形態に係る電線巻付けバインドを用いて電線を碍子に保持した状態を示す図である。
【図２】本発明の実施形態に係る電線巻付けバインドが変形した状態を示す模式図である。
【符号の説明】
【００１８】
１    電線巻付けバインド
３    中央部
５    碍子
７    首部
９    両側部
１１  電線
１３  端部
【図１】
2006278110.tif 000003
【図２】
2006278110.tif 000004